(57)【要約】【課題】回転ブラシがケースから抜けるのを防止する。【解決手段】電動歯ブラシは、背面に回転軸３２を設けてこの回転軸３２にクランクアーム３４を突出させている回転ブラシ３０と、回転ブラシ３０の回転軸３２を挿通する貫通孔４２のあるブラシケース４０と、このブラシケース４０の背面に装着されるケース裏蓋５０と、ブラシケース４０に往復運動できるように配設されて、先端を回転軸３２のクランクアーム３４に連結している往復運動ロッド６０とを備える。ケース裏蓋５０は、ブラシケース４０に装着されたケース裏蓋５０をブラシケース４０に連結する係止フック５１を備える。電動歯ブラシは、往復運動ロッド６０がクランクアーム３４から外れた状態で、係止フック５１が、回転軸３２のクランクアーム３４が貫通孔４２から抜ける位置に回転するのを阻止して、回転ブラシ３０がブラシケース４０から抜けないようにしている。【選択図】　図６
2004033316.tif 000002
【特許請求の範囲】
【請求項１】
前面にブラシ（３３）を有し、背面に回転軸（３２）を設けてこの回転軸（３２）にクランクアーム（３４）を突出させている回転ブラシ（３０）と、回転ブラシ（３０）の回転軸（３２）を脱着できると共に回転できるように挿通してなる貫通孔（４２）のあるブラシケース（４０）と、このブラシケース（４０）の背面に装着されてブラシケース（４０）背面の開口部（４１）を閉塞するケース裏蓋（５０）と、ブラシケース（４０）に往復運動できるように配設されると共に、先端を回転軸（３２）のクランクアーム（３４）に回動できるように連結している往復運動ロッド（６０）とを備え、
ケース裏蓋（５０）は、ブラシケース（４０）の内面に突出して、回転ブラシ（３０）の回転軸（３２）に回転できるように挿入している回転シャフト（５３）と、ブラシケース（４０）に装着されたケース裏蓋（５０）をブラシケース（４０）に連結する係止フック（５１）とを備え、
往復運動ロッド（６０）がクランクアーム（３４）から外れた状態で、係止フック（５１）が、回転軸（３２）のクランクアーム（３４）が貫通孔（４２）から抜ける位置に回転するのを阻止して、回転ブラシ（３０）がブラシケース（４０）から抜けないようにしてなる電動歯ブラシ。
【請求項２】
前面にブラシ（３３）を有し、背面に回転軸（３２）を設けてこの回転軸（３２）にクランクアーム（３４）を突出させている回転ブラシ（３０）と、回転ブラシ（３０）の回転軸（３２）を脱着できると共に回転できるように挿通してなる貫通孔（４２）のあるブラシケース（４０）と、このブラシケース（４０）の背面に装着されてブラシケース（４０）背面の開口部（４１）を閉塞するケース裏蓋（５０）と、ブラシケース（４０）に往復運動できるように配設されると共に、先端を回転軸（３２）のクランクアーム（３４）に回動できるように連結している往復運動ロッド（６０）とを備え、
ケース裏蓋（５０）は、ブラシケース（４０）の内面に突出して、回転ブラシ（３０）の回転軸（３２）に回転できるように挿入している回転シャフト（５３）と、ブラシケース（４０）に装着されたケース裏蓋（５０）をブラシケース（４０）に連結する係止フック（５１）とを備え、
回転軸（３２）のクランクアーム（３４）が貫通孔（４２）から抜ける位置に回転するのを阻止する回り止め（５２）をケース裏蓋（５０）の内面に突出して設けると共に、この回り止め（５２）に衝突して、クランクアーム（３４）が貫通孔（４２）から抜ける位置に回転しないように停止するストッパ凸部（３７）をクランクアーム（３４）に突出して設けており、
往復運動ロッド（６０）がクランクアーム（３４）から外れた状態で、ケース裏蓋（５０）の回り止め（５２）がクランクアーム（３４）のストッパ凸部（３７）に衝突して、クランクアーム（３４）が貫通孔（４２）から抜ける位置に回転するのを阻止し、回転ブラシ（３０）がブラシケース（４０）から抜けないようにしてなる電動歯ブラシ。
【請求項３】
往復運動ロッド（６０）が、その先端部に傾動自在なジョイント（６１）を有し、クランクアーム（３４）は、ジョイント（６１）先端の折曲部（６１Ａ）を回転できるように連結する円形孔を有し、
往復運動ロッド（６０）が往復運動するとジョイント（６１）が傾動し、ジョイント（６１）の折曲部（６１Ａ）が円形孔の内部で回転して、回転ブラシ（３０）を回転させるようにしてなる請求項１または２に記載される電動歯ブラシ。
【発明の詳細な説明】
【０００１】
【発明の属する技術分野】
本発明は、回転ブラシを回転させて歯を磨く電動歯ブラシに関する。
【０００２】
【従来の技術】
回転ブラシを、所定の角度で正逆に回転させる電動歯ブラシは、使用しているときに、回転ブラシの外れを確実に阻止することが大切である。使用しているときに、口の中で回転ブラシが外れると、種々の弊害の原因となる可能性があるからである。図１は、実用新案登録第２５６５６１８号が開示する構造であって、回転ブラシ７０を外れないようにケース７１に連結している従来の電動歯ブラシの分解斜視図である。この電動歯ブラシは、回転ブラシ７０の背面に固定している回転軸７２を、ケース７１の貫通孔７３に回転できるように挿通している。回転軸７２は、ケース７１から抜けるのを阻止するために、対向する位置に一対の抜止突起７４を設けている。貫通孔７３は、回転軸７２を特定の姿勢とするとき（例えば、組み立てるとき）に限って、抜止突起７４を通過させる一対の切欠部７５を内周に設けている。この回転ブラシ７０は、抜止突起７４を貫通孔７３の切欠部７５に位置させる姿勢で、回転軸７２を貫通孔７３に挿通する。貫通孔７３に挿入された回転軸７２を回転させると、抜止突起７４がケース７１の内面に係止されて、回転ブラシ７０は抜けないようにケース７１に連結される。さらに、回転軸７２にはピニオン７６を設けている。このピニオン７６に噛み合うラック（図示せず）がスライド棒７７の先端内側に設けられ、別途設けられる本体内のモーター駆動によりスライド棒７７が直線往復運動して回転ブラシ７０が回転する。この電動歯ブラシは、ラックをピニオンに噛み合わせる状態で、抜止突起が貫通孔の周縁に係止される。このため、正常な使用状態で回転ブラシが抜けることはない。
【０００３】
【発明が解決しようとする課題】
しかしながら、図１に示す電動歯ブラシは、長時間使用してラックやピニオンが摩耗し、あるいは一部に損傷を受けると、回転軸が自由に回転して回転ブラシがケースから抜けることがある。回転軸の抜止突起が貫通孔の切欠部に移動するからである。
【０００４】
本発明はこのような弊害が発生することを確実に阻止することを目的に開発されたもので、本発明の重要な目的は、回転ブラシを回転させる駆動部が損傷を受けても、回転ブラシがケースから抜けることがなく、安心して使用できる電動歯ブラシを提供することにある。
【０００５】
【課題を解決するための手段】
本発明の電動歯ブラシは、前面にブラシ３３を有し、背面に回転軸３２を設けてこの回転軸３２にクランクアーム３４を突出させている回転ブラシ３０と、回転ブラシ３０の回転軸３２を脱着できると共に回転できるように挿通してなる貫通孔４２のあるブラシケース４０と、このブラシケース４０の背面に装着されてブラシケース４０背面の開口部４１を閉塞するケース裏蓋５０と、ブラシケース４０に往復運動できるように配設されると共に、先端を回転軸３２のクランクアーム３４に回動できるように連結している往復運動ロッド６０とを備える。ケース裏蓋５０は、ブラシケース４０の内面に突出して、回転ブラシ３０の回転軸３２に回転できるように挿入している回転シャフト５３と、ブラシケース４０に装着されたケース裏蓋５０をブラシケース４０に連結する係止フック５１とを備える。
【０００６】
本発明の請求項１の電動歯ブラシは、往復運動ロッド６０がクランクアーム３４から外れた状態で、係止フック５１が、回転軸３２のクランクアーム３４が貫通孔４２から抜ける位置に回転するのを阻止して、回転ブラシ３０がブラシケース４０から抜けないようにしている。
【０００７】
さらに、本発明の請求項２の電動歯ブラシは、回転軸３２のクランクアーム３４が貫通孔４２から抜ける位置に回転するのを阻止する回り止め５２をケース裏蓋５０の内面に突出して設けると共に、この回り止め５２に衝突して、クランクアーム３４が貫通孔４２から抜ける位置に回転しないように停止するストッパ凸部３７をクランクアーム３４に突出して設けている。この電動歯ブラシは、往復運動ロッド６０がクランクアーム３４から外れた状態で、ケース裏蓋５０の回り止め５２がクランクアーム３４のストッパ凸部３７に衝突して、クランクアーム３４が貫通孔４２から抜ける位置に回転するのを阻止し、回転ブラシ３０がブラシケース４０から抜けないようにしている。
【０００８】
さらに、本発明の請求項３の電動歯ブラシは、往復運動ロッド６０が、その先端部に傾動自在なジョイント６１を有し、クランクアーム３４が、ジョイント６１先端の折曲部６１Ａを回転できるように連結する円形孔を有する。この電動歯ブラシは、往復運動ロッド６０が往復運動するとジョイント６１が傾動し、ジョイント６１の折曲部６１Ａが円形孔の内部で回転して、回転ブラシ３０を回転させるようにしている。
【０００９】
【発明の実施の形態】
以下、本発明の実施例を図面に基づいて説明する。ただし、以下に示す実施例は、本発明の技術思想を具体化するための電動歯ブラシを例示するものであって、本発明は電動歯ブラシを以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図５ないし図８は、第１実施例の電動歯ブラシのブラシユニットを、図９ないし図１２は、第２実施例の電動歯ブラシのブラシユニットを、その他の図は、第１実施例と第２実施例に共通の構造を示す。図２ないし図４に示す電動歯ブラシは、鎖線で示す本体部２０と、この本体部２０に脱着できるように連結しているブラシユニット１０とを備える。本体部２０は、図示しないが、モーターと、このモーターの回転を往復運動に変換する回転運動−往復運動変換機構とを内蔵している。
【００１２】
第１実施例と第２実施例のブラシユニット１０に共通して、回転ブラシ３０と、この回転ブラシ３０を回転できるように先端部に連結しているブラシケース４０と、ブラシケース４０背面の開口部４１を閉塞するケース裏蓋５０と、往復運動して回転ブラシ３０を回転させる往復運動ロッド６０とを備える。
【００１３】
回転ブラシ３０は、円盤３１の背面の中心に回転軸３２を設けている。円盤３１の前面には、ブラシ３３を植え付けている。背面の回転軸３２は、ブラシケース４０の貫通孔４２に回転できるように挿入される。回転軸３２には、クランクアーム３４を突出させている。さらに図に示す回転ブラシ３０は、クランクアーム３４と反対側に第２クランクアーム３５を設けている。クランクアーム３４と第２クランクアーム３５は、ブラシケース４０の内面を摺動して、回転ブラシ３０をブラシケース４０に抜けないように連結する。
【００１４】
回転ブラシ３０のクランクアーム３４は、回転軸３２が抜けるのを阻止することに加えて、往復運動ロッド６０に連結されて回転ブラシ３０を回転させる。クランクアーム３４は、往復運動ロッド６０の先端を連結する連結孔３６を設けている。連結孔３６は円形で、往復運動ロッド６０のジョイント６１を回転できるように連結している。図のジョイント６１は、先端を直角に折曲している金属線である。連結孔３６は、ジョイント６１である金属線の折曲部６１Ａを回転できるように挿入して連結している。連結孔３６は、回転軸３２と平行な方向に開口される。クランクアーム３４は、往復運動ロッド６０の往復運動を回転運動に変換して、回転ブラシ３０を、たとえば約９０度の角度で正逆に回転させる。
【００１５】
次に、本発明において、回転ブラシ３０の抜けを防止する構造を説明する。なお、回転ブラシ３０がブラシケース４０から抜ける構造については、従来例と同様であり、詳細には後述する。
図５ないし図８に示す第１実施例のブラシユニット１０は、往復運動ロッド６０がクランクアーム３４から抜けたときにクランクアーム３４が抜け位置に移動するのを係止フック５１で停止する。これに対して、図９ないし図１２に示す第２実施例のブラシユニット１０は、クランクアーム３４が抜け位置に移動するのを、クランクアーム３４のストッパ凸部３７と、ケース裏蓋５０の回り止め５２とで停止する。したがって、図９ないし図１２のクランクアーム３４は、クランクアーム３４が抜け位置に回転するのを阻止するストッパ凸部３７を設けている。このストッパ凸部３７は、ケース裏蓋５０の回り止め５２に衝突して、クランクアーム３４が抜け位置に移動するのを阻止する。往復運動ロッド６０に連結されるクランクアーム３４は、抜け位置に移動することはない。往復運動ロッド６０がクランクアーム３４の回転角を制限するからである。ただ、往復運動ロッド６０がクランクアーム３４から抜けると、回転ブラシ３０は自由に回転できる状態となる。この状態になると、回転軸３２の回転を制限しない限り、クランクアーム３４が抜け位置に移動して、回転ブラシ３０がブラシケース４０から脱落することがある。
【００１６】
図９ないし図１２の回転ブラシ３０は、クランクアーム３４がケース裏蓋５０と対向する面に突出してストッパ凸部３７を設けている。このストッパ凸部３７は、クランクアーム３４が抜け位置に移動するとき、ケース裏蓋５０に設けている回り止め５２に衝突する。
【００１７】
第１実施例と第２実施例に共通して、ブラシケース４０は、内部の往復運動ロッド６０を収納できる細長い筒状で、先端に回転ブラシ３０を連結している。後端は本体部２０に脱着できる形状としている。回転ブラシ３０を連結するために、ブラシケース４０は先端部に貫通孔４２を設けている。貫通孔４２は、回転軸３２を挿入でき、かつ挿入した回転軸３２を抜けないように回転できる形状としている。図の回転ブラシ３０は、円柱状の回転軸３２の側面に、軸を中心として１８０度離して一対のクランクアーム３４と第２クランクアーム３５とを設けている。したがって、貫通孔４２は回転軸３２の外径にほぼ等しい円形で、クランクアーム３４と第２クランクアーム３５を通過できる切欠部４３、４３を設けている（図７、図１１参照）。さらに、図のブラシケース４０は、貫通孔４２の周囲に周壁４４を一体的に成形して設けて、この周壁４４の内側でクランクアーム３４と第２クランクアーム３５とを回転させる。周壁４４は、クランクアーム３４と第２クランクアーム３５のガイドとなって、回転ブラシ３０を定位置に保持して回転させる。
【００１８】
ブラシケース４０は、先端部の背面を開口している。開口部４１に沿っては、側壁４５を一体的に成形している。この側壁４５にケース裏蓋５０が連結されて、背面の開口部４１が閉塞される。さらに、ブラシケース４０は、貫通孔４２を設ける部分、すなわち回転ブラシ３０の円盤３１と対向する対向面４６（図６、図１０参照）を平面状に成形している。回転ブラシ３０の円盤３１との隙間をなくするためである。
【００１９】
ケース裏蓋５０は、ブラシケース４０の背面に装着されて、ブラシケース４０背面の開口部４１を閉塞する。ケース裏蓋５０には、ブラシケース４０の内面に突出して、回転ブラシ３０の回転軸３２に回転できるように挿入している別部品の金属棒である回転シャフト５３が取り付けられている。回転シャフト５３は金属シャフトで、ケース裏蓋５０に外れないように連結している。回転シャフト５３は、ケース裏蓋５０をブラシケース４０に連結すると、回転ブラシ３０の回転軸３２の中心に設けている中心孔３８に回転できるように挿入される。
【００２０】
さらに、ケース裏蓋５０は、ブラシケース４０に装着されたケース裏蓋５０をブラシケース４０に連結する一体成形された係止フック５１と係止片５４とを備える。ケース裏蓋５０は、ケース裏蓋５０の下後側の係止片５４がブラシケース４０の内側に係止されると共に、係止フック５１が貫通孔４２の上先側の切欠部４３に挿入されてブラシケース４０に連結される。係止フック５１は、プラスチックでもってケース裏蓋５０に一体的に成形される。係止フック５１の先端部５１Ａは、フック形状に成形されて、ブラシケース４０の外側に引っかけられる。図６と図１０のブラシケース４０は、係止フック５１の先端部５１Ａが引っかけられる引掛部４７を段差形状に成形して、係止フック５１がブラシケース４０の表面から突出しないようにしている。ケース裏蓋５０をブラシケース４０に装着するとき、係止フック５１は弾性的に変形して、貫通孔４２の上先側の切欠部４３を通過して引掛部４７に係止される。
【００２１】
第１実施例において、図５ないし図８に示すブラシユニット１０は、係止フック５１でもって、万一往復運動ロッド６０がクランクアーム３４から外れたときに、クランクアーム３４が抜け位置に回転するのを阻止する。したがって、この係止フック５１は、図７の鎖線で示すように、クランクアーム３４が貫通孔４２の切欠部４３に移動して、抜け位置に移動するのを阻止する位置に配設される。図の係止フック５１は、貫通孔４２の切欠部４３にあって、貫通孔４２の切欠部４３に移動するクランクアーム３４に衝突して、クランクアーム３４が抜け位置に移動するのを阻止する。
【００２２】
第２実施例において、図９ないし図１２に示すケース裏蓋５０は、クランクアーム３４の回り止め５２を内面に突出して設けている。回り止め５２は、往復運動ロッド６０がクランクアーム３４から外れたときに、クランクアーム３４の近傍に設けられたストッパ凸部３７に衝突して、クランクアーム３４が抜け位置に移動するのを阻止する。したがって、回り止め５２はクランクアーム３４のストッパ凸部３７に衝突して、クランクアーム３４が貫通孔４２の切欠部４３に移動するのを阻止する位置、すなわちクランクアーム３４のストッパ凸部３７の移動軌跡であって、クランクアーム３４が貫通孔４２の切欠部４３に移動するのを阻止する位置に設けている。図のケース裏蓋５０は、係止フック５１よりも内側に階段状の回り止め５２を設けている。
【００２３】
第１実施例と第２実施例に共通して、往復運動ロッド６０は、図１３に示すように、その先端部に傾動自在なジョイント６１を有する。ジョイント６１は、先端と後端を直角に折曲している金属線である。ジョイント６１先端の折曲部６１Ａは、クランクアーム３４の連結孔３６に連結され、後端の折曲部６１Ｂは往復運動ロッド６０の本体ロッド６２に傾動できるように連結している。図の本体ロッド６２は、ジョイント６１後端の折曲部６１Ｂを挿入して連結する回動孔６３（図７、図１１参照）を有し、衝撃等により不所望にジョイント６１が外れることを防止するために、側壁６６、６７、ひさし状の上片６４を有する。ジョイント６１は、本体ロッド６２が往復運動されるとき、往復して傾動しながらクランクアーム３４を介して回転ブラシ３０を往復して正逆回転させる。
【００２４】
以上の構造の往復運動ロッド６０は、回転ブラシ３０をスムーズに回転できる特長がある。とくに、往復運動ロッド６０が最も後退する位置、あるいは最も突出する位置で停止し、この位置から回転されるときにスムーズに回転できる。それは、ジョイント６１先端の折曲部６１Ａを、クランクアーム３４に設けている円形の連結孔３６に遊びなく連結しているからである。ただし、本発明の電動歯ブラシは、クランクアームに回転軸の半径方向に長い長孔の連結孔を設け、ジョイントを傾動しないように本体ロッドに連結する構造とすることもできる。この構造は、ジョイントを傾動させることなく、ジョイント先端の折曲部を、長い孔に沿って移動させながら、クランクアームを介して回転ブラシを所定の角度で回転できる。
【００２５】
第１実施例と第２実施例に共通して、図５ないし図１２のブラシユニット１０は、以下の工程で組み立てられる。
（１）　ケース裏蓋５０を外したブラシケース４０の貫通孔４２に、回転ブラシ３０の回転軸３２を入れて、ブラシケース４０に回転ブラシ３０を装着する。回転軸３２は、クランクアーム３４と第２クランクアーム３５を貫通孔４２の切欠部４３に通過させて挿入される。
（２）　回転ブラシ３０のクランクアーム３４に設けている連結孔３６に、往復運動ロッド６０のジョイント６１先端の折曲部６１Ａを連結する。この状態で、回転ブラシ３０は自由に回転できなくなって、ブラシケース４０に抜けないように装着される。
（３）　ブラシケース４０の背面にケース裏蓋５０を装着する。ケース裏蓋５０は、貫通孔４２の上先側の切欠部４３に挿入される係止フック５１を介してブラシケース４０に装着される。ケース裏蓋５０には回転シャフト５３を設けているので、これが回転ブラシ３０の回転軸３２の中心孔３８に挿入される。回転軸３２は、回転シャフト５３に回転できるように支持される。
【００２６】
以上の状態で組み立てられたブラシユニット１０は、本体部２０に装着される。ブラシユニット１０が本体部２０に装着されると、ブラシユニット１０の往復運動ロッド６０は、本体部２０に内蔵される回転運動−往復運動変換機構に連結される。したがって、本体部２０の回転運動−往復運動変換機構が往復運動ロッド６０を往復運動させると、クランクアーム３４を介して回転ブラシ３０が回転される。
【００２７】
電動歯ブラシは、以上の状態で使用されるが、駆動部の摩耗、変形、損傷等で往復運動ロッド６０が回転ブラシ３０のクランクアーム３４から外れる可能性は極めて低いながらも起こりうる。この状態になると往復運動ロッド６０が回転ブラシ３０の回転角を制御できなくなるので、クランクアーム３４が貫通孔４２の切欠部４３に移動できるなら回転ブラシ３０がブラシケース４０から脱落してしまうが、本発明の第１実施例である図５ないし図８に示す電動歯ブラシは、クランクアーム３４が抜け位置に移動するのを係止フック５１で停止する。すなわち、クランクアーム３４が係止フック５１に衝突して、抜け位置に移動できなくなる。このため、往復運動ロッド６０がクランクアーム３４から外れても、回転ブラシ３０がブラシケース４０から脱落することはない。
【００２８】
また、本発明の第２実施例である図９ないし図１２に示す電動歯ブラシは、クランクアーム３４が抜け位置に移動するのを、ケース裏蓋５０に設けている回り止め５２と、クランクアーム３４に設けているストッパ凸部３７とで停止する。すなわち、クランクアーム３４が抜け位置に移動しようとすると、クランクアーム３４のストッパ凸部３７が、ケース裏蓋５０の回り止め５２に衝突して、抜け位置に移動できなくなる。このため、往復運動ロッド６０がクランクアーム３４から外れても、回転ブラシ３０がブラシケース４０から脱落することはない。
【００２９】
【発明の効果】
本発明の請求項１と請求項２の電動歯ブラシは、回転ブラシを回転させる駆動部が損傷を受けても、回転ブラシがケースから抜けることがなく、安心して使用できる特長がある。それは、本発明の請求項１の電動歯ブラシは、ケース裏蓋に、ブラシケースに連結するための係止フックを備えると共に、この係止フックでもって、回転ブラシの回転を阻止するからである。係止フックが回転ブラシの回転を阻止する電動歯ブラシは、クランクアームと往復運動ロッドとの連結が外れて自由に回転できる状態になっても、回転ブラシの回転軸がブラシケースの貫通孔から抜ける位置には回転しない。
また、本発明の請求項２の電動歯ブラシは、回転軸がブラシケースの貫通孔からの抜け位置に回転するのを阻止する回り止めをケース裏蓋に設けると共に、この回り止めに衝突するストッパ凸部をクランクアームに設けている。この構造の電動歯ブラシは、回転ブラシが自由に回転できる状態になると、ケース裏蓋の回り止めがクランクアームのストッパ凸部に衝突して、クランクアームが貫通孔から抜け位置に回転するのを阻止する。このため、この構造の電動歯ブラシも、往復運動ロッドがクランクアームから外れて、回転ブラシが自由に回転できるようになっても、回転軸が貫通孔から抜ける位置には回転せず、回転ブラシがブラシケースから抜け落ちることはない。
したがって、本発明の電動歯ブラシは、駆動部が故障しても回転ブラシが脱落して、回転ブラシが誤って口の中に入り込むことがなく、安心して使用できる特長がある。
【図面の簡単な説明】
【図１】従来の電動歯ブラシの分解斜視図
【図２】本発明にかかる電動歯ブラシの側面図
【図３】図２に示す電動歯ブラシのブラシユニットの正面図
【図４】図２に示す電動歯ブラシのブラシユニットの背面図
【図５】本発明の第１実施例にかかる電動歯ブラシのブラシユニットの分解斜視図
【図６】図５に示すブラシユニットの垂直断面図
【図７】図５に示すブラシユニットの水平断面図
【図８】図５に示すブラシユニットのケース裏蓋の背面斜視図
【図９】本発明の第２実施例にかかる電動歯ブラシのブラシユニットの分解斜視図
【図１０】図９に示すブラシユニットの垂直断面図
【図１１】図９に示すブラシユニットの水平断面図
【図１２】図９に示すブラシユニットのケース裏蓋の背面斜視図
【図１３】本発明の電動歯ブラシの往復運動ロッドのジョイント部分を示す斜視図
【符号の説明】
１０…ブラシユニット
２０…本体部
３０…回転ブラシ
３１…円盤
３２…回転軸
３３…ブラシ
３４…クランクアーム
３５…第２クランクアーム
３６…連結孔
３７…ストッパ凸部
３８…中心孔
４０…ブラシケース
４１…開口部
４２…貫通孔
４３…切欠部
４４…周壁
４５…側壁
４６…対向面
４７…引掛部
５０…ケース裏蓋
５１…係止フック　　　　５１Ａ…先端部
５２…回り止め
５３…回転シャフト
６０…往復運動ロッド
６１…ジョイント　　　　６１Ａ…折曲部　　　　　　６１Ｂ…折曲部
６２…本体ロッド
６３…回動孔
６４…上片
６６…側壁
６７…側壁
７０…回転ブラシ
７１…ケース
７２…回転軸
７３…貫通孔
７４…抜止突起
７５…切欠部
７６…ピニオン
７７…スライド棒
【図１】
2004033316.tif 000003
【図２】
2004033316.tif 000004
【図３】
2004033316.tif 000005
【図４】
2004033316.tif 000006
【図５】
2004033316.tif 000007
【図６】
2004033316.tif 000008
【図７】
2004033316.tif 000009
【図８】
2004033316.tif 000010
【図９】
2004033316.tif 000011
【図１０】
2004033316.tif 000012
【図１１】
2004033316.tif 000013
【図１２】
2004033316.tif 000014
【図１３】
2004033316.tif 000015